(57)【要約】【課題】小さな力で容易に回転操作が行なえるナットを備えた釣竿を提供する。【解決手段】本発明の釣竿は、リール脚載置部１３の前後に対向して配置され、リール脚を受け入れる開口を有する一対のフード部１５，１６を備え、これら一対のフード部１５，１６の内、少なくとも一方がナット２０を回転操作することで移動可能に構成されている。そして、回転操作されるナット２０は、その外周が、少なくとも軸長方向の幅の大きな溝２１と幅の小さな溝２２の組み合わせによって構成されている。【選択図】    図３
2007029035.tif 000002
【特許請求の範囲】
【請求項１】
リール脚載置部の前後に対向して配置され、リール脚を受け入れる開口を有する一対のフード部を備え、これら一対のフード部の内、少なくとも一方がナットを回転操作することで移動可能に構成されたリールシートを有する釣竿において、
前記ナットは、その外周が、少なくとも軸長方向の幅の大きな溝と幅の小さな溝の組み合わせによって構成されていることを特徴とする釣竿。
【請求項２】
リール脚固定装置を備えた元竿と、後端部にジョイント部材と接続ナットが装着され、前記元竿に対して着脱可能な先竿とを備え、前記ジョイント部材をリール脚固定装置に嵌合し、前記接続ナットをリール脚固定装置の先端部に設けた雄ネジ部に螺合することで前記元竿と先竿を接続する釣竿において、
前記接続ナットは、その外周が、少なくとも軸長方向の幅の大きな溝と幅の小さな溝の組み合わせによって構成されていることを特徴とする釣竿。
【請求項３】
前記幅の大きな溝は、内側に窪んだ円弧状に形成され、前記幅の大きな溝に隣接して前記幅の小さな溝が形成されていることを特徴とする請求項１又は２に記載の釣竿。
【請求項４】
前記幅の大きな溝の幅は、２．５〜３．５ｍｍの範囲であることを特徴とする請求項１乃至３のいずれか１項に記載の釣竿。
【請求項５】
前記幅の小さな溝よりも、幅の大きな溝の溝深さが大きいことを特徴とする請求項１乃至４のいずれか１項に記載の釣竿。
【請求項６】
前記幅の大きな溝の溝深さは、０．６ｍｍ以上であることを特徴とする請求項１乃至５のいずれか１項に記載の釣竿。
【請求項７】
前記幅の小さな溝は、前記幅の大きな溝間に複数設けられていることを特徴とする請求項１乃至６のいずれか１項に記載の釣竿。
【請求項８】
前記幅の小さな溝は、断面Ｖ字状に形成されていることを特徴とする請求項１乃至７のいずれか１項に記載の釣竿。
【請求項９】
前記幅の大きな溝は、円周上に、等間隔に少なくとも６箇所以上形成されていることを特徴とする請求項１乃至８のいずれか１項に記載の釣竿。
【発明の詳細な説明】
【技術分野】
【０００１】
本発明は、回転操作されるナットを備えた釣竿に関する。
【背景技術】
【０００２】
釣竿には、回転操作されるナットを備えたものがある。例えば、リールが装着される磯竿や船竿には、その元竿部分にリールを固定するためのリールシートが設けられており、ナットを回転操作することで移動フードを軸方向に移動してリールを着脱する形式のものがある。また、一部の船竿には、元竿部分と穂先竿部分を、ジョイント機構によって連結し、ナットを回転操作することで、元竿部分と穂先竿部分を着脱する形式のものがある。
【０００３】
通常、上記したような釣竿に用いられるナットには、回転操作性を向上するための手段が施されている。例えば、特許文献１に開示されているように、ナットの外周面に、小さな幅の突起溝を、ナットの外周面に所定間隔をおいて形成したものがある。
【特許文献１】特開２００４−３３７０９８号
【発明の開示】
【発明が解決しようとする課題】
【０００４】
上記したようなナットの構造では、小さな幅の突起溝は、滑り止めの作用が働くが、そのような突起溝が形成されていない領域（単なる平坦外周面）では、滑り止めの作用は無く、小さな力で容易にナットを回転することはできない。この場合、上記した突起溝を全周に亘って形成することで、滑り止めの作用は向上すると考えられるが、単に表面の摩擦係数が全体として高くなっただけであり、小さな力で容易にナットを回転するといった操作感（しっくり感）を向上する上では、更に改善すべき余地がある。特に、釣竿を握持しながらナットを回転操作することも有り得ることから、小さな力で容易に回転操作できることが好ましい。
【０００５】
本発明は、上記した問題に基づいてなされたものであり、小さな力で容易に回転操作が行なえるナットを備えた釣竿を提供することを目的とする。
【課題を解決するための手段】
【０００６】
上記した目的を達成するために、本発明に係る釣竿は、リール脚載置部の前後に対向して配置され、リール脚を受け入れる開口を有する一対のフード部を備え、これら一対のフード部の内、少なくとも一方がナットを回転操作することで移動可能に構成されたリールシートを有しており、前記ナットは、その外周が、少なくとも軸長方向の幅の大きな溝と幅の小さな溝の組み合わせによって構成されていることを特徴とする。
【０００７】
また、本発明に係る釣竿は、リール脚固定装置を備えた元竿と、後端部にジョイント部材と接続ナットが装着され、前記元竿に対して着脱可能な先竿とを備え、前記ジョイント部材をリール脚固定装置に嵌合し、前記接続ナットをリール脚固定装置の先端部に設けた雄ネジ部に螺合することで前記元竿と先竿を接続するよう構成されており、前記接続ナットは、その外周が、少なくとも軸長方向の幅の大きな溝と幅の小さな溝の組み合わせによって構成されていることを特徴とする。
【０００８】
上記した構成において、リールをリールシートから着脱する際、或いは、先竿を元竿に対して着脱する際、ナット（接続ナット）が回転操作される。ナットを回転操作する際、指の腹部がナットの外周に当て付けられることとなるが、小さな幅の溝部分で指が滑ることが防止され、更には、この部分で指が滑っても、幅の大きな溝部分に指の腹部が食い込むことから、滑ることが抑制され、小さな力でも容易にナットを回転操作することができる。
【発明の効果】
【０００９】
本発明によれば、小さな力でも容易に回転操作が行なえるナットを備えた釣竿が得られる。
【発明を実施するための最良の形態】
【００１０】
以下、本発明に係る釣竿の一実施形態について説明する。
【００１１】
図１〜図５は、本発明に係る釣竿の一実施形態を示す図であり、図１は、釣竿の全体構成を示す図、図２は、穂先竿と元竿を分離した状態を示す図、図３は、穂先竿を元竿に固定した状態を示す図、図４は、元竿に装着されるリールシートを示す図、そして、図５は、ジョイント機構の構成を示す図である。
【００１２】
本実施形態に係る釣竿１は、専ら、船竿に適した構成となっており、リールＲが装着される元竿３と、元竿３に対して着脱可能な穂先竿５とを備えている。前記元竿３には、リールＲを着脱可能にするパイプ状のリールシート１０が装着されており、この元竿３に対して、ジョイント機構３０を介して穂先竿（先竿）５が着脱されるようになっている。また、元竿３には、リールシートの後方側に握部４が形成され、その後端部には、尻手環４ａ及び尻栓４ｂが設けられている。
【００１３】
前記穂先竿５の外周には、所定の間隔をおいて複数の釣糸ガイド（外ガイド）７が設けられており、リールシート１０に装着されたリールＲから繰出される釣糸を案内する。この場合、釣糸ガイド７は、固定式であっても良いし、軸方向に移動可能な移動式に構成されていても良い。また、穂先竿は、中通し式に構成されていても良い。なお、図に示す構成では、穂先竿５は、１本竿として構成されているが、２本以上が継構造となっているものであっても良い。このような構造では、元竿に対して、ジョイント機構３０を介して着脱される竿管が先竿となる。
【００１４】
前記リールシート１０は、図３及び図４に示すように、パイプ状に形成されたリールシート本体１２を備えている。リールシート本体１２は、例えば、ステンレス、アルミニウム合金、チタン、真鍮等の金属によって一体的に形成され、管状（中実であっても良い）に形成された元竿３の外周面に対して固着される。
【００１５】
リールシート本体１２には、リールＲの脚部（リール脚）が載置されるリール脚載置部１３が形成されており、その両側には、リール脚を受け入れる開口を備えた一対のフード部が配置されている。この場合、一対のフード部の内、少なくともいずれか一方が移動フードとして構成されていれば良く、本実施形態においては、穂先側にあるフード部が移動フード１５として構成され、基端側にあるフード部が固定フード１６として構成されている。すなわち、リール脚を固定フード１６の開口１６ａに挿入し、この状態で移動フード１５を後述するナットを回転操作することで軸方向の固定フード側に移動させ、移動フード１５の開口１５ａにリール脚を嵌合させることで、リールが固定されるようになっている。
【００１６】
なお、移動フード１５とリールシート本体１２との間にはガイド手段（図示せず）が設けられており、ナットを回転操作した際に、移動フード１５が回転することなく、軸方向に移動できるように構成されている。
【００１７】
前記リールシート本体１２の外周には、所定の長さに亘って、ナット２０が螺合される雄ネジ部１８が形成されている。この場合、ナット２０は移動フード１５に当て付いており、ナット２０を雄ネジ部１８に対して回転操作することで、移動フード１５を軸方向に移動させるようになっている。このナット２０については、本実施形態においては、移動フード１５が緩み難いように、同一構成のものが２つ並設されている。
【００１８】
前記ジョイント機構３０は、穂先竿５の基端部に設けられており、穂先竿５の基端部に固定される筒状のジョイント部材３１、及びジョイント部材３１に設置される接続ナット３２とを備えている。この接続ナット３２は、前記元竿３に装着されるリールシート１０に形成された雄ネジ部１８の先端領域に螺合し、穂先竿５（ジョイント部材３１）を元竿３に固定する機能を有する。すなわち、筒状のジョイント部材３１を元竿３（リールシート本体１２）の先端内部に嵌合し、接続ナット３２を締め付けることにより穂先竿５は元竿３に固定されるようになっている。
【００１９】
前記ジョイント部材３１の基端部の端面には、凹溝３１ａが形成されており、ジョイント部材３１を元竿３の先端部に嵌入させると、元竿３の内部の端面に形成された凸部（図示せず）と係合し、両者は回り止めされた状態となる。この状態でリールシート１０の雄ネジ部１８がジョイント部材３１の後端外周を覆っており、接続ナット３２を回転操作することによって、両者は螺合結合し、回り止めされた状態で抜け止め固定される。
【００２０】
図５に示すように、前記接続ナット３２には、その穂先側に、軸心方向に突出するフランジ３２ａが一体形成されている。そして、このフランジ３２ａが、ジョイント部材３１の外周面に環状に突出形成された止まり部３１ｂに対し、後述するリング部材３３を介して係合することで、接続ナット３２は、ジョイント部材３１に対して抜け止め保持されている。
【００２１】
前記接続ナット３２の内周面には、雌ネジ部３２ｂが形成されており、この雌ネジ部３２ｂの端部と前記フランジ３２ａとの間にリング部材３３（ＯリングでもＣリングでも良い）が固着されている。このリング部材３３は、例えばゴムのような軟質部材、ナイロン、ＡＢＳ、ＰＯＭ等の樹脂によって一体形成されており、接続ナット３２を雄ネジ部１８に対して締め込んでいった時に、前記止まり部３１ｂに圧接し、両者の間でのガタ付きを防止するようになっている。この場合、リング部材３３の内径を、接続ナット３２の先端内径（フランジ３２ａの内径）よりも小さく、かつジョイント部材３１の外径よりも大きくすることにより、ジョイント部材３１の外面に接続ナットが当接して傷が付くこと、及び音が発生することが防止される。
【００２２】
なお、ジョイント部材３１の外周面に、環状に突出した止まり部３１ｂが形成されるのではなく、外周面が後方に向かって次第に拡径するテーパ（傾斜面）である場合、リング部材３３は、その傾斜面に圧接してガタを防止する。
【００２３】
また、ジョイント部材３１には、止まり部３１ｂよりも後方側にＯリング３５が配設されている。このＯリング３５は、前記リング部材３３と同様、ゴムのような軟質部材、ナイロン、ＡＢＳ、ＰＯＭ等の樹脂によって一体形成されており、元竿に固着されているリールシート本体１２に形成された雄ネジ部１８が後方側から嵌り込むと、潰れて縦長の楕円形状に変形し、接続ナット３２の内面に当接するようになる。すなわち、止まり部３１ｂを挟んで前方側はリング部材３３、後方側は雄ネジ部１８の端面によって変形して接続ナットの内面に当接するＯリング３５が配置されることで、接続ナット３２を安定して回転操作することが可能となる。また、このようなＯリング３５を配設したことで、接続ナット３２がジョイント部材３１に付属しているような構成であっても、ガタ付き音を防止することができる。
【００２４】
なお、前記Ｏリング３５は、雌ネジ部３２ｂによって破損し難い程度の耐久性があることが好ましい。また、Ｏリング３５については、後方側に動き難いように、ジョイント部材３１の外周に溝を形成しておき、この部分に嵌め込むようにしても良い。
【００２５】
図６及び図７は、上記したリールシートの雄ネジ部１８に螺合されるナット２０の一構成例を示す図であり、図６は一部断面図、図７は正面図である。
【００２６】
上記したナット２０は、例えば、ステンレス、アルミニウム合金、チタン、真鍮等の金属によって一体的に形成されており、その外周面には、回転操作時に、滑り等が生じないように、滑り止め手段が形成されている。
【００２７】
この滑り止め手段は、ナット２０の外周面に、軸長方向に延びる幅の大きな溝２１と幅の小さな溝２２の組み合わせによって構成されている。この場合、幅の大小については、両者の相対的な比較によって定められるものであり、異なる幅のものが複合的に組み合わされて構成されていれば良い。すなわち、このような幅の異なる溝が複合的に形成されることで、指の腹部をナットの外周に当て付けた際、小さな幅の溝２２の部分で指が滑ることが防止され、かつ、この部分で指が滑ったとしても、幅の大きな溝２１の部分に指の腹部を食い込ませることができ、結果的に回転操作時に指の滑りが効果的に抑制され、小さな力でも容易にナットを回転操作することができる。
【００２８】
具体的に、本実施形態におけるナット２０は、その外径Ｃが２９ｍｍ、軸方向長さＬが８ｍｍに設定されている。そして、このような構成において、幅の大きな溝２１については、釣人が回転操作しようとした際、その指が溝の内部に食い込む程度（溝幅Ｗが２．５〜３．５ｍｍの範囲）に設定しておくことが好ましい。また、その深さＤについては、幅の小さな溝２２の深さよりも深く形成しておくことが好ましく、少なくとも０．６ｍｍ以上あることが好ましい。
【００２９】
すなわち、溝幅Ｗが上記した範囲内にあることで、回転操作した際に、指の腹部が食い込み易くなり、小さな力でも容易にナット２０を回転操作することができる。また、溝の深さＤを小さな幅の溝２２よりも深くしておくことで、ナットを回転操作する際に、深く指が入り込み、小さな力でも容易にナットを回転することができ、また、溝内面側部の傾斜が立ち易くなって、より抵抗が働き、容易に回転操作することができるようになる。
【００３０】
なお、幅の小さな溝２２について、その幅や深さは、上記した幅の大きな溝２１の幅Ｗよりも相対的に狭く、また、深さＤよりも相対的に浅く形成されていれば良く、例えば、幅については、０．５〜１．５ｍｍ程度、深さについては、０．４〜０．６ｍｍ程度に形成されていれば良い。
【００３１】
上記した幅の大きな溝２１は、円周上に、等間隔に少なくとも６箇所以上形成されていることが好ましい。すなわち、主に、親指と人差し指でナットを回転操作する際に、少なくとも略６０°間隔で幅の大きな溝２１が存在することで、無意識にナットを摘んでも指が入り込み易くなり、容易にナットを回転操作することが可能となる（本実施形態では、幅の大きな溝２１は、略４０°間隔で９箇所形成されており、より回転操作がし易いように構成されている）。なお、幅の大きな溝２１は、余り多数形成しておくと、操作感が低下する傾向となるため、１２箇所以下に設定しておくことが好ましい。もちろん、幅の大きな溝２１は、単独で等間隔に設置しておくことが好ましいが、複数個隣接させた状態で、等間隔に形成しても良いし、等間隔に配置しなくても良い。
【００３２】
上記した幅の小さい溝２２については、大きな幅の溝間に形成されており、大きな幅の溝２１間に複数個（本実施形態では、大きな幅の溝間に５個）形成しておくことが好ましい。すなわち、幅の小さな溝２２を複数個、隣接して形成しておくことで、大きな幅の溝からはみ出した指の腹部に小さな幅の溝が当接するため、更に大きな抵抗となって回転操作がし易くなる。
【００３３】
また、前記幅の大きな溝２１は、内側に窪んだ円弧状に形成しておくことが好ましい。具体的に、その円弧のＲを、１〜３の範囲に設定しておくことにより、指の腹部が食い込んだ際に円弧状部に密着するようになり、指が痛くならずに、小さな力でも容易に回転操作することが可能となる。
【００３４】
また、溝と溝との間の頂部（大きな幅の溝２１の山の頂部Ｐ、小さな幅の溝２２の山の頂部Ｐ１）は、指が引っ掛かり易いように、尖っていた方が好ましい。この場合、指を痛めないように、その先端には、微妙にＲを付与しておくことが好ましい。また、両方の溝の山の頂部Ｐ，Ｐ１については、円周上に位置するのが好ましいが、小さな幅の溝２２の山の頂部Ｐ１が、大きな幅の溝２１の頂部Ｐよりも若干、外方に突出していても良い。
【００３５】
また、上記したような滑り止め手段が形成されたナット２０には、その軸長方向両サイドの角部に面取り２８を形成しておくことが好ましい。このような面取り２８を形成しておくことにより、指で摘んだ際の保持感が向上すると共に、回転操作した際の回転方向の抵抗を向上することが可能となる。なお、このような面取り２８は、Ｃ面取りでもＲ面取りであっても良い。また、上記した両溝２１，２２の溝の長さをナット幅に対して極力大きくするために、指を痛めない程度に微妙な面取りであっても良い。
【００３６】
また、上記した幅の小さい溝２２については、図８及び図９に示すように、断面Ｖ字状に形成しても良い。このような形状にしておくことで、小さな幅の溝２２の内壁面が立ち易くなって指の引っ掛かりが大きくなり、小さな幅の溝のために指が痛くなり難く、容易に回転操作できるようになる。
【００３７】
図１０及び図１１は、ナット２０に形成される滑り止め手段の別の構成例を示す図である。このナットでは、上記した幅の大きな溝２１を、円周上に略６０°で等間隔に６個形成している。このような構成においても、小さな力で容易に回転操作することが可能となる。
【００３８】
図１２及び図１３は、上記したジョイント機構３０に用いられる接続ナット３２の一構成例を示す図である。これらの図に示すように、接続ナット３２についても、上記したナット２０と同様、その外周面に滑り止め手段を形成することで、容易に回転操作することが可能となる（この接続ナット３２の外周に形成される滑り止め手段については、前記ナット２０と同じであるため、詳細な説明については省略する）。
【００３９】
上記したナット２０、及び接続ナット３２に関し、回転操作のし易さを検証するために以下のような比較試験を行なった。
【００４０】
[接続ナット３２について]  
ナット幅１４ｍｍで、外周面に幅の大きな溝２１を９箇所形成し、かつ幅の大きな溝２１間に、幅の小さな溝２２を５箇所形成した試験品１を、試験品３と比較試験する。この場合、試験品３は、同様な幅の大きな溝２１のみを９箇所形成しただけで、幅の小さな溝は形成していない。また、試験品１及び試験品３の幅の大きな溝２１は、溝幅が３ｍｍ、深さが０．８ｍｍに設定されており、試験品１の幅の小さな溝２２は、溝幅が１ｍｍ、深さが０．５ｍｍに設定されている。なお、リング部材３３については、除去した状態で比較試験を行なった。
【００４１】
[ナット２０について]  
ナット幅８ｍｍで、外周面に幅の大きな溝２１を９箇所形成し、かつ幅の大きな溝２１間に、幅の小さな溝２２を５箇所形成した試験品２を、試験品４と比較試験する。この場合、試験品４は、同様な幅の大きな溝２１のみを９箇所形成しただけで、幅の小さな溝は形成していない。また、試験品１及び試験品３の幅の大きな溝２１は、溝幅が３ｍｍ、深さが０．８ｍｍに設定されており、試験品１の幅の小さな溝２２は、溝幅が１ｍｍ、深さが０．５ｍｍに設定されている。
【００４２】
[比較試験方法]  
比較試験では、接続ナット３２及びナット２０を、雄ネジ部１８の下端部まで締め込んだ状態にして、試験機（TOHNICHI社製、デジタルトルクメータ  Z-TME90）にリールシート１０を固定し（固定フード側を下にする）、更に、各ナットを締め込んで指が滑る状態までナットを締め込んだときのトルクメータの値を記録した。
【００４３】
比較試験は、Ａ，Ｂ，Ｃ，Ｄ（女性），Ｅの５名が、各試験品を親指と人差し指の第一関節までの接触で締め付けた状態とし、各試験品について３回実施した。各試験で得られる結果において、トルクメータの数値が高いほど、接続ナット３２、ナット２０を回転操作する際の滑りが生じ難いこと、すなわち、小さな力でも回転が容易に行なえることを意味する。
【００４４】
そして、各試験者の指を乾燥状態にして、上記した比較試験を行なったところ、以下の表１のような試験結果が得られた。
【００４５】
【表１】
2007029035.tif 000003
５名の比較試験の平均値（ＡＶ）から見られるように、大きい幅の溝及び小さい幅の溝が形成された試験品１及び試験品２は、いずれも小さい幅の溝が形成されていない試験品３及び試験品４に対して高い数値が得られた。すなわち、大きい幅の溝及び小さい幅の溝をナットの外周面に複合的に組み合わせて形成することで、小さな力でも容易に回転操作が行なえるという結果が得られた。
【００４６】
また、各試験者の指を実釣時で生じ易い湿らせた状態にして比較試験を行なったところ、以下の表２のような試験結果が得られた。
【００４７】
【表２】
2007029035.tif 000004
５名の比較試験の平均値（ＡＶ）から見られるように、大きい幅の溝及び小さい幅の溝が複合的に形成された試験品１及び試験品２は、いずれも小さい幅の溝が形成されていない試験品３及び試験品４に対して高い数値が得られた。すなわち、指が湿っている状況下においても、大きい幅の溝及び小さい幅の溝を外周面に組み合わせたナットによれば、小さな力で容易に回転操作が行なえるという結果が得られた。
【００４８】
以上、本発明の実施の形態について説明したが、本発明は、上記した実施形態の構成に限定されることはなく、種々変形することが可能である。上記したようなナットの構成については、その外周面に、相対的に幅の大きな溝と幅の小さな溝が複合的に組み合わせて形成されていれば、その配置態様については適宜変形することが可能である。また、このような組み合わせが存在すれば、外周面の一部に平坦面が形成されていても良いし、別の幅の溝が形成されていても良い。
【００４９】
さらに、上記したような構成のナットは、リールシートやジョイント機構以外にも、例えば、尻栓部分に配設されたものであっても良い。
【図面の簡単な説明】
【００５０】
【図１】本発明に係る釣竿の一実施形態を示す図であり、釣竿の全体構成を示す図。
【図２】穂先竿と元竿を分離した状態を示す図。
【図３】穂先竿を元竿に固定した状態を示す図。
【図４】元竿に装着されるリールシートを示す図。
【図５】ジョイント機構の構成を示す図。
【図６】リールシートの雄ネジ部に螺合されるナットの構成を示す一部断面図。
【図７】図６に示すナットの正面図。
【図８】ナットの別の構成例を示す一部断面図。
【図９】図８に示すナットの正面図。
【図１０】ナットの更に別の構成例を示す一部断面図。
【図１１】図１０に示すナットの正面図。
【図１２】ジョイント機構に用いられる接続ナットの構成を示す一部断面図。
【図１３】図１２に示すナットの正面図。
【符号の説明】
【００５１】
１  釣竿
３  元竿
５  穂先竿(先竿)
１０  リールシート
１２  リールシート本体
１３  リール脚載置部
１５  移動フード（フード部）
１６  固定フード（フード部）
１８  雄ネジ部
２０  ナット
２１  幅の大きな溝
２２  幅の小さな溝
３２  接続ナット
【図１】
2007029035.tif 000005
【図２】
2007029035.tif 000006
【図３】
2007029035.tif 000007
【図４】
2007029035.tif 000008
【図５】
2007029035.tif 000009
【図６】
2007029035.tif 000010
【図７】
2007029035.tif 000011
【図８】
2007029035.tif 000012
【図９】
2007029035.tif 000013
【図１０】
2007029035.tif 000014
【図１１】
2007029035.tif 000015
【図１２】
2007029035.tif 000016
【図１３】
2007029035.tif 000017